(57)【要約】      （修正有）【課題】寝ながらにして他人にメッセージを伝えることのできるメッセージ機能付きアイマスクを提供する。【解決手段】繰り返し筆記及び字消しが可能な筆記面２’を有する可撓性の筆記部材２と、筆記面２’と反対の面において筆記部材２を保持する布帛製の保持部材４と、保持部材４の左右外側方にそれぞれ設けられた左側留具６ｂ及び右側留具６ａと、を有する。【選択図】図１
0003193944.tif 000002
【実用新案登録請求の範囲】
【請求項１】
繰り返し筆記及び字消しが可能な筆記面を有する可撓性の筆記部材と、
前記筆記面と反対の面において前記筆記部材を保持する布帛製の保持部材と、
前記保持部材の左右外側方にそれぞれ設けられた左側留具及び右側留具と、
を有すること、を特徴とするメッセージ機能付きアイマスク。
【請求項２】
前記左側留具及び前記右側留具が、それぞれ環状耳掛け部であること、を特徴とする請求項１に記載のメッセージ機能付きアイマスク。
【請求項３】
前記左側留具及び前記右側留具が、それぞれ雄型面ファスナを有する帯状部又は雌型面ファスナを有する帯状部を具備すること、を特徴とする請求項１に記載のメッセージ機能付きアイマスク。
【請求項４】
前記筆記部材がクリーンスチールペーパーで構成されていること、を特徴とする請求項１に記載のメッセージ機能付きアイマスク。
【考案の詳細な説明】
【技術分野】
【０００１】
本考案は、寝ている人が他人にメッセージを伝えることのできるメッセージ機能付きアイマスクに関する。
【背景技術】
【０００２】
従来から様々な構造を有するアイマスクが考案されている。
【０００３】
例えば、特許文献１（特開２０１２−１７０８００号公報）においては、製造が容易で構造が簡単な、顔面との接合性及び追随性を向上させるようにしたアイマスクが提案されている。
【０００４】
また、特許文献２（実用新案登録第３１２２８８０号明細書）においては、構成が簡単で、製造コストも安価であり、更に装着時に異物感、違和感がなく、ツボを刺激することでリラックス効果、眼精疲労、精神疲労の回復を図った新規なアイマスクが提案されている。
【０００５】
即ち、従来のアイマスクは、装着性や健康の観点からの工夫がなされたものであることがほとんどであった。
【先行技術文献】
【特許文献】
【０００６】
【特許文献１】特開２０１２−１７０８００号公報
【特許文献２】実用新案登録第３１２２８８０号明細書
【考案の概要】
【考案が解決しようとする課題】
【０００７】
以上のような従来のアイマスクに対し、本考案者は全く別の観点からアイマスクに工夫を加えることを見出した。即ち、本考案者は、うっかり寝てしまっていてご飯が冷めてしまったりご飯が残っていなかったり、テスト勉強の合間に少し休憩を取るつもりが長時間寝てしまったり、寝ていて観たかったテレビ番組を見逃したりするという問題点を如何に解決すべきか日々検討していた。
【０００８】
そして、本考案者は、他人にメッセージを伝えることができる機能をアイマスクに付与することができれば、上記のような問題点は解決し得るものと考え、本考案を完成するに至った。即ち、本考案の目的は、寝ながらにして他人にメッセージを伝えることのできるアイマスクを提供することにある。
【課題を解決するための手段】
【０００９】
以上のような問題点を解決するものとして、本考案は、
繰り返し筆記及び字消しが可能な筆記面を有する可撓性の筆記部材と、
前記筆記面と反対の面において前記筆記部材を保持する布帛製の保持部材と、
前記保持部材の左右外側方にそれぞれ設けられた左側留具及び右側留具と、
を有すること、を特徴とするメッセージ機能付きアイマスクを提供する。
【００１０】
このような構成を有する本考案のメッセージ機能付きアイマスクによれば、筆記部材が可撓性を有し保持部材が布帛製であることから、左側留具及び右側留具によって顔面に違和感なく装着できるとともに、前記筆記部材の筆記面に繰り返し筆記及び字消しが可能である。
【考案の効果】
【００１１】
上記のような構成を有する本考案に係るメッセージ機能付きアイマスクは、寝ながらにして他人にメッセージを伝えることのできるアイマスクを実現したものである。
【図面の簡単な説明】
【００１２】
【図１】本考案に係るメッセージ機能付きアイマスクの一実施形態の構成を示す斜視図(ａ)と、人が当該メッセージ機能付きアイマスクを装着している様子を示す模式図（ｂ）である。
【考案を実施するための形態】
【００１３】
以下、本考案に係るメッセージ機能付きアイマスクの一実施形態について、図面を参照しつつ詳細に説明する。なお、以下に示す実施形態は、本発明の一実施形態を示したものに過ぎず、本発明が図示されるものに限られないことはいうまでもない。
【００１４】
また、図面は、本考案を概念的に説明するためのものであるから、理解容易のために、必要に応じて寸法、比又は数を誇張又は簡略化して表している場合もある。
【００１５】
図１に示すように、本実施形態のメッセージ機能付きアイマスク１は、繰り返し筆記及び字消しが可能な筆記面２’を有する可撓性の筆記部材２と、筆記面２’と反対の面において筆記部材２を保持する布帛製の保持部材４と、保持部材４の左右外側方にそれぞれ設けられた左側留具６ｂ及び右側留具６ａと、を有する。
【００１６】
ここで、筆記部材２は、水性マーカ又は油性マーカによって繰り返し筆記及び字消しが可能な筆記面２’を有するものであれば種々の材料で構成することができ、例えば可撓性を有する樹脂材料やホワイトボードを構成する材料等を用いて作製することができる。その形状は、通常のアイマスクの輪郭を有するシート状であればよいが、輪郭は矩形状等であってもよい。
【００１７】  なかでも、可撓性を有していて保持部材４とともに顔面に沿って違和感なく装着できるという観点から、ポリエチレンテレフタレート（ＰＥＴ）やクリーンスチールペーパーを用いるのが好ましい。クリーンスチールペーパーとしては、例えば（公序良俗違反につき、不掲載）を好適に用いることができる。
【００１８】
このクリーンスチールは、離型紙の上面に粘着剤を介して薄いスチール層が設けられており、更にこのスチール層の上面に樹脂製のハードコート層が設けられているため、水性マーカ又は油性マーカによって繰り返し筆記及び字消しが可能であり、また、磁石を付着させることも可能である。
【００１９】
また、左側留具６ｂ及び右側留具６ａは、それぞれ環状耳掛け部で構成されていることにより、本実施形態のメッセージ機能付きアイマスク１は、好適にユーザーの耳に掛けて装着することができる。
【００２０】
筆記部材２をその筆記面２’と反対の面において保持する保持部材４は、布帛製であり、当該反対の面を覆うとともに、筆記部材２の外周縁において折り返されており、例えば接着剤で接着されている。この布帛を構成する生地は、織物、編物、不織布のいずれか一種であってよい。組織は特に限定されないが、織物の種類としては、平織、綾織、朱子織、ななこ織、急斜文織、よこ二重織、たて二重織などからなるものを使用できる。
【００２１】
編物の種類としては、緯編地である平編（天竺）、１×１天竺、鹿の子編、リブ編、両面編（スムース）、パール編、ポンチローマ編、ミラノリブ編、ブリスター編など、縦編地であるシングルデンビ編、シングルコード編、シングルアトラス編、ハーフトリコット編、ダブルデンビ編、サテン編などを使用できる。
【００２２】
不織布の種類としては、短繊維不織布、長繊維不織布、フラッシュ紡糸法による不織布、メルトブロー法による不織布などを使用できる。
【００２３】
また、布帛は、綿、麻等の天然繊維はもとより、ポリエステル繊維、ポリアミド繊維などの合成繊維等の材料で構成されていてもよい。この材料の選択は、所望する機能等によって適宜選択すればよい。
【００２４】
このような構成を有する本考案に係るメッセージ機能付きアイマスクは、筆記部材２の筆記面２’に、例えば「３時に起こして」又は「ご飯ができたら起こして下さい」といった頼みごとや、「昨日はありがとう」といった気恥ずかしくて言い難いことを書いてメッセージとして伝えることができる。また、他人は、寝ている本人に対して、筆記面２’にメッセージを記載したり悪戯書きをしたりすることもできる。
【００２５】
以上、本考案の一実施形態について説明したが、本考案はこれのみに限定されるものではなく、実用新案登録請求の範囲に規定される構成を具備すれば、種々の設計変更が可能であり、設計変更したものも当然に本考案の範囲に含まれる。
【００２６】
例えば、左側留具及び右側留具が、それぞれ雄型面ファスナを有する帯状部又は雌型面ファスナを有する帯状部で構成されていてもよい。また、筆記部材２の表面に貼ったり剥がしたりすることのできる、種々の印刷を施したシール（例えば様々な表情の眼のシール）とセットを構成してもよい。
【符号の説明】
【００２７】
１・・・メッセージ機能付きアイマスク、
２・・・筆記部材、
２’・・・筆記面、
４・・・保持部材、
６ａ・・・右側留具、
６ｂ・・・左側留具。
【図１】
0003193944.tif 000003
【手続補正書】
【提出日】平成26年9月3日(2014.9.3)
【手続補正１】
【補正対象書類名】明細書
【補正対象項目名】００１７
【補正方法】変更
【補正の内容】
【００１７】
なかでも、可撓性を有していて保持部材４とともに顔面に沿って違和感なく装着できるという観点から、ポリエチレンテレフタレート（ＰＥＴ）やクリーンスチールペーパーを用いるのが好ましい。